(57)【特許請求の範囲】
【請求項１】
下面に第１係止部及び第２係止部を形成したキートップと、
そのキートップの下方に配設され、両端部にそれぞれ係止部材を有し、キートップを上下方向に案内支持するとともに側面視でＸ字状に配置された第１リンク部材及び第２リンク部材と、
前記キートップを上方に付勢するスプリング部材と、
前記キートップの上下動に伴ってスイッチング動作を行うフレキシブル回路基板と、
挿通孔が形成されたフレキシブル回路基板を上面に配置した金属薄板とを備えたキースイッチ装置であって、
前記金属薄板に、前記キートップの第１係止部及び第２係止部に対応する第３係止部及び第４係止部を一体形成するとともに、この第３係止部及び第４係止部を、前記フレキシブル回路基板の挿通孔を介して上方に突出させ、
前記第１リンク部材及び第２リンク部材の両端部に形成された係止部材のうち、上方側に位置する上方側係止部材を前記キートップの第１係止部及び第２係止部に係止するとともに、下方側に位置する下方側係止部材を前記金属薄板の第３係止部及び第４係止部に係止させ、
前記第３係止部は、前記第１リンク部材の前記下方側係止部材を摺動可能に係止する摺動係止部として形成されるとともに、当該摺動係止部の摺動方向における一端側には、キートップの非押下状態で前記下方側係止部材が当接される第１規制部を形成し、当該摺動係止部の摺動方向における前記一端側と異なる他端側には、キートップの押下時に前記下方側係止部材が当接される第２規制部をそれぞれ形成し、
前記第４係止部は、前記第２リンク部材の前記下方側係止部材を摺動可能に係止する摺動係止部として形成されるとともに、当該摺動係止部の摺動方向における一端側には、キートップの非押下状態で前記下方側係止部材が当接される第１規制部を形成し、当該摺動係止部の摺動方向における前記一端側と異なる他端側には、キートップの押下時に前記下方側係止部材が当接される第２規制部をそれぞれ形成したことを特徴とするキースイッチ装置。
【請求項２】
前記第３係止部及び第４係止部には、前記摺動方向における前記他端側にて前記下方側係止部材を挿入する挿入部が形成され、前記第２規制部は前記挿入部の上側に形成されたことを特徴とする請求項１記載のキースイッチ装置。
【発明の詳細な説明】
【０００１】
【産業上の利用分野】
本発明はキースイッチ装置に関し、特に、部品点数を少なくして構造が簡単で、且つ、コストを低く抑えることが可能なキースイッチ装置であり、ノート型ワードプロセッサ、ノート型パーソナルコンピュータ等に付設される薄型のキーボードに使用する好適なキースイッチ装置に関するものである。
【０００２】
【従来の技術】
従来より、この種のキースイッチ装置は各種のものが提案されているが、本出願人は、特願平３−３３０１６０号に添付した明細書及び図面において、キートップの下面及びホルダプレートの双方にそれぞれ対応する２つの係止部を設けるとともに、両端に一対の係止ピンを形成したリンク部材を相互に交叉状に軸支してなる案内支持部材をキートップとホルダプレートとの間に配設し、各係止ピンをキートップ及びホルダプレートのそれぞれに設けられた係止部に係止してなるキースイッチ装置を提案した。
【０００３】
そして、このキースイッチ装置では、これを構成する各キートップ、案内支持部材、ホルダプレート、ラバースプリング、及び回路基板が、支持板上に支持されることによりキースイッチ装置が達成されている。
【０００４】
【発明が解決しようとする課題】
しかしながら、前記特願平３−３３０１６０号に添付した明細書及び図面に記載されたキースイッチ装置では、案内支持部材のリンク部材に形成された係止ピンをキートップの係止部とホルダプレートの係止部との間でそれぞれ係止することにより構成されているので、ホルダプレートが必須のものとされていた。
【０００５】
かかるホルダプレートは、その加工上、比較的コストがかかるものであり、また、ホルダプレートが存在する分だけ、キースイッチ装置全体の厚みの増加とともに重量の増加を招いていた。
【０００６】
本発明は前記問題点を改良するためになされたものであり、従来必要とされていたホルダプレートを不要として、構造の簡素化、薄型化及びコストの低廉化を図ることができるキースイッチ装置を提供することを目的とする。
【０００７】
【課題を解決するための手段】
前記目的を達成するために、請求項１に係るキースイッチ装置は、下面に第１係止部及び第２係止部を形成したキートップと、そのキートップの下方に配設され、両端部にそれぞれ係止部材を有し、キートップを上下方向に案内支持するとともに側面視でＸ字状に配置された第１リンク部材及び第２リンク部材と、前記キートップを上方に付勢するスプリング部材と、前記キートップの上下動に伴ってスイッチング動作を行うフレキシブル回路基板と、挿通孔が形成されたフレキシブル回路基板を上面に配置した金属薄板とを備えたキースイッチ装置であって、前記金属薄板に、前記キートップの第１係止部及び第２係止部に対応する第３係止部及び第４係止部を一体形成するとともに、この第３係止部及び第４係止部を、前記フレキシブル回路基板の挿通孔を介して上方に突出させ、前記第１リンク部材及び第２リンク部材の両端部に形成された係止部材のうち、上方側に位置する上方側係止部材を前記キートップの第１係止部及び第２係止部に係止するとともに、下方側に位置する下方側係止部材を前記金属薄板の第３係止部及び第４係止部に係止させ、前記第３係止部は、前記第１リンク部材の前記下方側係止部材を摺動可能に係止する摺動係止部として形成されるとともに、当該摺動係止部の摺動方向における一端側には、キートップの非押下状態で前記下方側係止部材が当接される第１規制部を形成し、当該摺動係止部の摺動方向における前記一端側と異なる他端側には、キートップの押下時に前記下方側係止部材が当接される第２規制部をそれぞれ形成し、前記第４係止部は、前記第２リンク部材の前記下方側係止部材を摺動可能に係止する摺動係止部として形成されるとともに、当該摺動係止部の摺動方向における一端側には、キートップの非押下状態で前記下方側係止部材が当接される第１規制部を形成し、当該摺動係止部の摺動方向における前記一端側と異なる他端側には、キートップの押下時に前記下方側係止部材が当接される第２規制部をそれぞれ形成したものである。
また、請求項２に係るキースイッチ装置は、請求項１のキースイッチ装置において、前記第３係止部及び第４係止部には、前記摺動方向における前記他端側にて前記下方側係止部材を挿入する挿入部が形成され、前記第２規制部は前記挿入部の上側に形成されたものである。
【０００８】
【作用】
前記構成を有する本発明のキースイッチ装置においては、第１リンク部材において上方側に位置する上方側係止部材及び第２リンク部材において上方側に位置する上方側係止部材がキートップの下面に形成された第１係止部及び第２係止部に係止されるとともに、第１リンク部材において下方側に位置する下方側係止部材及び第２リンク部材において下方側に位置する下方側係止部材がフレキシブル回路基板の挿通孔を介して上方へ突出された金属薄板の第３係止部及び第４係止部に係止されている。
ここに、金属薄板に一体形成された第３係止部は、第１リンク部材の下方側係止部材を摺動可能に係止する摺動係止部として形成され、その摺動係止部の摺動方向における一端側にはキートップの非押下状態で下方側係止部材が当接される第１規制部が形成されるとともに、摺動係止部の摺動方向における他端側にはキートップの押下時に下方側係止部材が当接される第２規制部が形成されている。
また、金属薄板に一体形成された第４係止部は、第２リンク部材の下方側係止部材を摺動可能に係止する摺動係止部として形成され、その摺動係止部の摺動方向における一端側にはキートップの非押下状態で下方側係止部材が当接される第１規制部が形成されるとともに、摺動係止部の摺動方向における他端側にはキートップの押下時に下方側係止部材が当接される第２規制部が形成されている。
更に、第３係止部及び第４係止部には、その摺動方向における他端側には、第１リンク部材及び第２リンク濡部材における下方側係止部材を挿入する挿入部が形成され、また、第３係止部及び第４係止部における第２規制部は挿入部の上側に形成されている。
【０００９】
前記キースイッチ装置において、キートップが押下されると、キートップは、第１リンク部材及び第２リンク部材によりラバースプリングの付勢力に抗して下降され、スイッチング動作が行われる。一方、キートップの押下を解除すれば、ラバースプリングの付勢力により、第１リンク部材及び第２リンク部材はキートップとともに元の位置に復帰される。
【００１０】
【実施例】
以下、本発明を具体化した一実施例に基づいて図１及び図２を参照しつつ詳細に説明する。図１はキートップを若干押下し始めた状態を示すキースイッチ装置の側断面図であり、図２はキースイッチ装置の分解説明図である。
【００１１】
これらの図において、キートップ１はＡＢＳ樹脂等の合成樹脂から成型されており、その上面にはアルファベット等の文字が印刷等により形成されている。また、キートップ１の裏面からは、複数の係止部２、３を下方に向けて垂設（形成）してなる保持部材Ｂがキートップ１本体と一体に設けられている。尚、図１及び図２では、側面視で２つの係止部２、３が表されているが、係止部２、３はそれぞれ２つずつ設けられている。
【００１２】
係止部２には、後述する２つのリンク部材７、８のうちの一方のリンク部材７の一端に形成された係止ピン１３、１４を水平方向に摺動するとともに端部壁４Ａに当接係止可能な係止溝４が設けられており、また、係止部３には、他方のリンク部材８の一端に形成された係止ピン２３、２４を水平方向に摺動するとともに端部壁５Ａに当接係止可能な係止溝５が形成されている。
【００１３】
キートップ１の下方には、キートップ１の上下動を案内支持する案内支持部材６が配設されており、かかる案内支持部材６はリンク部材７、８から構成される。
【００１４】
一方のリンク部材７は、図３に示すように、基部９の両端に２つの基端部１０、１１を一体に形成してなるものである。基部９の中央部の一側面からは軸１２が延設されており、かかる軸１２は後述する他方のリンク部材８に形成された軸孔２０に軸支される。
【００１５】
なお、リンク部材７の係止ピン１３、１４と係止ピン１５、１６は軸１２を中心として一直線上に並び、且つ、軸１２からの距離が等しくなるように構成される。また、リンク部材８の係止ピン２１、２２と係止ピン２３、２４は軸孔２０を中心として一直線上に並び、且つ、軸孔２０からの距離が等しくなるように構成される。
【００１６】
そして、これら両リンク部材７、８は、軸１２と軸孔２０を回動可能に連結した状態において、基端部１１、１８の位置で上側に凸となるように屈曲している。そのため、図１に示されるように、軸支部Ａの下側において大きな空間を有するように構成されることになり、後述する側面視略台形のラバースプリング３１を効率よく軸支部Ａの下側に収納できるものである。
【００１７】
また、基端部１０の両端延部１０Ａの側面からは、係止ピン１３、１４が延設されており、この係止ピン１３、１４はキートップ１の係止部２に設けられた係止溝４に係止されるものである。更に、基端部１１は平面視でコ字状に形成されており、コ字状の両端延部１１Ａの側面からは前記と同様の係止ピン１５、１６が延設されている。かかる係止ピン１５、１６は後述する支持プレート２５に形成された係止部２６に係止される。
【００１８】
更に、リンク部材８は、図４に示すように、基部１７の両端に２つの基端部１８、１９を一体に形成してなるものである。基部１７の中央部には軸孔２０が穿設され、この軸孔２０には前記のようにリンク部材７の基部９に設けられた軸１２が挿通される。また、基端部１８は平面視コ字状に形成されており、コ字状の両端延部１８Ａからは係止ピン２１、２２が延設されている。この係止ピン２１、２２は後述する支持プレート２５に形成された係止部２７に係止される。
【００１９】
また、基端部１９の両端延部１９Ａから前記と同様の係止ピン２３、２４が延設されており、かかる係止ピン２３、２４はキートップ１の係止部３に形成された係止溝５に摺動可能に係止されるものである。
【００２０】
前記したように、案内支持部材６は、一方のリンク部材７の基部９に形成された軸１２を他方のリンク部材８の基部１７に穿設した軸孔２０に挿通して構成されるものであり、両リンク部材７、８は軸１２と軸孔１７とよりなる軸支部Ａを介して相互に回動可能となる。かかる軸支部Ａは後述するようにラバースプリング３１の頂部のほぼ中央位置に対向配置されている。
【００２１】
キートップ１にリンク部材７、８を取り付けた状態にあっては、係止ピン１３、１４、２３、２４の先端が端部壁４Ａ、５Ａに当接状態にあるため、相互の図１の紙面に対して垂直方向のガタが防止される。
【００２２】
次に、案内支持部材６の下方には鉄板等の金属薄板よりなる支持プレート２５が配設されており、かかる支持プレート２５上にはリンク部材７の基端部１１に延設された係止ピン１５、１６及びリンク部材８の基端部１８に延設された係止ピン２１、２２をそれぞれ係止するための係止部２６、２７が設けられている。
【００２３】
係止部２６は、図５に示すように、キースイッチが配置される支持プレート２５上で各キースイッチの周囲の四隅において、長方形状の一辺を支持プレート２５に連続させたまま三辺を打ち抜くとともに、所定形状に切り起こすことにより形成される係止片３５（図１及び図２参照）よりなるものである。
【００２４】
かかる係止片３５は、係止ピン１５、１６を水平方向に摺動案内する水平部３５Ａとその水平部３５Ａの外側端部から垂下された垂下部３５Ｂとを有し、これらの水平部３５Ａと垂下部３５Ｂとにより長孔状の係止溝２８が形成される。かかる係止溝２８にはリンク部材７の係止ピン１５、１６が水平方向に摺動可能に係止されている。
【００２５】
ここに、係止溝２８の両端には、第１端縁部２８Ａ（図１における左方側）と第２端縁部２８Ｂ（図１における右方側）との２つの端縁部が形成されている。これらの各端縁部２８Ａ、２８Ｂの内、第１端縁部２８Ａは、後述するようにキートップ１の非押下状態でリンク部材７における係止ピン１５、１６の図１における左方向への摺動を規制するものであり、また、第２端縁部２８Ｂは、キートップ１の押下時に係止ピン１５、１６の図１における右方向への摺動を規制するものである。
【００２６】
また、係止部２７は、係止部２６と同様に、図５に示すように、キースイッチが配置される支持プレート２５上で各キースイッチの周囲の四隅において、長方形状の一辺を支持プレート２５に連続させたまま三辺を打ち抜くとともに、所定形状に切り起こすことにより形成される係止片３６（図１及び図２参照）よりなるものである。
【００２７】
かかる係止片３６は、係止ピン２１、２２を水平方向に摺動案内する水平部３６Ａとその水平部３６Ａの外側端部から垂下された垂下部３６Ｂとを有し、これらの水平部３６Ａと垂下部３６Ｂとにより長孔状の係止溝２９が形成される。かかる係止溝２９にはリンク部材８の係止ピン２１、２２が水平方向に摺動可能に係止されている。
【００２８】
ここに、係止溝２９の両端には、係止溝２８と同様、第１端縁部２９Ａ（図１における右方側）と第２端縁部２９Ｂ（図１における左方側）との２つの端縁部が形成されている。これらの各端縁部２９Ａ、２９Ｂの内、第１端縁部２９Ａは、後述するようにキートップ１の非押下状態でリンク部材８における係止ピン２１、２２の図１における右方向への摺動を規制するものであり、また、第２端縁部２９Ｂは、キートップ１の押下時に係止ピン２１、２２の図１における左方向への摺動を規制するものである。
【００２９】
これにより、キートップ１の非押下状態において、係止溝２８の第１端縁部２８Ａと係止溝２９の第１端縁部２９Ａとにリンク部材７の各係止ピン１５、１６及びリンク部材８の各係止ピン２１、２２が当接し、相互に協動して、リンク部材７、８の図５における左方向、右方向への摺動を規制する作用を行うものであり、この結果、後述するラバースプリング３１の上方への弾性力と相まってキートップ１は非押下状態に保持されるものである。
【００３０】
また、キートップ１の押下時には、係止溝２８の第２端縁部２８Ｂと係止溝２９の第２端縁部２９Ｂとにリンク部材７の各係止ピン１５、１６及びリンク部材８の各係止ピン２１、２２が当接し、相互に協動してリンク部材７、８の図５における右方向、左方向への摺動を規制する作用を行うものであり、この結果、キートップ１が、後述するように軸支部Ａを介してラバースプリング３１を押下してスイッチング動作を行った後、キートップ１が更に水平方向に摺動してしまうことを防止するものである。
【００３１】
また、いずれの場合においても、係止片３５、３６により、リンク部材７、８のガタが阻止されるとともに、軸孔２０より軸１２が抜け出ることが防止される。
【００３２】
更に、支持プレート２５の上方には、スイッチ電極を含む所定の回路パターン（図示せず）が形成されたフレキシブル回路基板３０が配設され、スイッチ電極に対応する位置には逆カップ状のラバースプリング３１が載置されている。このラバースプリング３１は内部に公知の可動電極を有しており、また、その上面の中央部には２つのリンク部材７、８を相互に回動可能に軸支する軸支部Ａが対向配置される。このラバースプリング３１の頂部は軸支部Ａによる押下時においても変形しない程度の厚さに形成されている。
【００３３】
また、フレキシブル回路基板３０には、各係止片３５、３６に対応してこれを上方に挿通するための挿通孔３０Ａ（図１及び図２参照）が形成されており、これによって、各係止片３５、３６の一部は、図１及び図２に示すように、挿通孔３０Ａから上方へ挿通されてフレキシブル回路基板３０の上方に配置されるものである。ここに、フレキシブル回路基板３０は、その挿通孔３０Ａから各係止片３５、３６が挿通されることに基づき、支持プレート２５上にて適正な位置に位置決めされるものである。
【００３４】
これにより、キートップ１の押下に伴って軸支部Ａが下方に移動すると、軸支部Ａはラバースプリング３１を押下し、その押下量が一定の限度を超えると、ラバースプリング３１が挫屈し、ラバースプリング３１内の可動電極によりスイッチ電極が短絡されるものである。
【００３５】
このとき、各係止ピン１３、１４等は各係止溝４等に沿ってフレキシブル回路基板３０上を水平方向に摺動されるので、軸支部Ａはキートップ１の押下に伴ってラバースプリング３１の頂部におけるほぼ中央位置に当接されつつ上下運動を行なうこととなり、これにより、ラバースプリング３１を垂直に押下することが可能となる。
【００３６】
続いて、前記の構成を有するキースイッチ装置の動作について説明する。
先ず、キートップ１の非押下状態においてはラバースプリング３１の上方への弾性力と相まって、リンク部材７の係止ピン１５、１６が係止溝２８の第１端縁部２８Ａに当接係止されているとともに、リンク部材８の係止ピン２１、２２が係止溝２９の第１端縁部２９Ａに当接係止されているので、キートップ１は水平方向に移動されることなく非押下状態が保持されている。
【００３７】
そして、キートップ１を下方に押下すると、キートップ１が下方へ移動するに伴ってリンク部材７の係止ピン１３、１４は係止部２の係止溝４内で水平方向（図１における左方向）に摺動するとともに、リンク部材８の係止ピン２３、２４は係止部３の係止溝５内で水平方向（図１における右方向）に摺動する。これと同時に、リンク部材８の係止ピン２１、２２は支持プレート２５における係止部２７の係止溝２９内で水平方向（図１における左方向）に摺動するとともに、リンク部材７の係止ピン１５、１６は係止部２６の係止溝２８内で水平方向（図１における右方向）に摺動する。
【００３８】
この結果、リンク部材７及びリンク部材８を相互に軸支する軸支部Ａは下方に移動するとともにラバースプリング３１を徐々に押下していき、その押下量が一定の限度を超えた時点でラバースプリング３１は挫屈される。これにより、ラバースプリング３１内の可動電極がフレキシブル回路基板３０上のスイッチ電極を短絡し、所定のスイッチング動作が行われる。
【００３９】
かかるスイッチング動作の後、キートップ１は、キー操作上更に押下されていくが、このときリンク部材７の係止ピン１３、１４は係止溝４内で摺動して端部壁４Ａに当接係止されるとともに、リンク部材８の係止ピン２３、２４は係止溝５内で摺動して端部壁５Ａに当接係止される。また、これと同時に、リンク部材７の係止ピン１５、１６は係止溝２８内で摺動して第２端縁部２８Ｂに当接係止されるとともに、リンク部材８の係止ピン２１、２２は係止溝２９内を摺動して第２端縁部２９Ｂに当接係止される。
【００４０】
これにより、キートップ１は、軸支部Ａを介してラバースプリング３１を押下することにより、ラバースプリング３１内の可動電極とフレキシブル回路基板３０上の固定電極とによりスイッチング動作を行った後、各係止ピン１３等と各端部壁４Ａ、５Ａ、端縁部２８Ｂ、２９Ｂとの協働によってその押下位置にて位置決めされるので、水平方向に不必要に移動されることはない。
【００４１】
キートップ１の押下を解除すると、両リンク部材７、８の軸支部Ａはラバースプリング３１の弾性復元力により上方に押し上げられる。これに伴って、各係止ピン１３、１４、１５、１６、２１、２２は前記した動作と逆の動作を行い、この結果、キートップ１は元の非押下状態の位置に復帰される。
【００４２】
以上詳細に説明した通り、本実施例に係るキースイッチ装置では、支持プレート２５に直接係止片３５、３６を形成することにより係止溝２８、２９を有する係止部２６、２７を設け、これらの係止片３５、３６の係止溝２８、２９とキートップ１に形成した係止部２、３の係止溝４、５とにより各係止ピン１３等をそれぞれ摺動可能に係止するようにしたので、従来必要とされていたホルダプレートを全く不要とすることができる。
【００４３】
また、キートップ１の非押下状態においてリンク部材７の係止ピン１５、１６を係止溝２８の第１端縁部２８Ａにて当接係止させるとともに、リンク部材８の係止ピン２１、２２を係止溝２９の第１端縁部２９Ａにて当接係止させるようにしたので、キートップ１の非押下時にはラバースプリング３１の上方への弾性力とも相まってキートップ１の水平方向への移動が防止されて位置決めされる。
【００４４】
更に、キートップ１の押下時においては、リンク部材７の係止ピン１３、１４及びリンク部材８の係止ピン２３、２４をそれぞれ係止溝４の端部壁４Ａ、係止溝５の端部壁５Ａに当接係止させるとともに、リンク部材７の係止ピン１５、１６及びリンク部材８の係止ピン２１、２２をそれぞれ係止溝２８の第２端縁部２８Ｂ、係止溝２９の第２端縁部２９Ｂに当接係止させるようにしたので、キートップ１の押下により、ラバースプリング３１の可動電極とフレキシブル回路基板３０の固定電極との間でスイッチング動作を行った後、キートップ１が水平方向に移動されることが防止されて、その押下位置にてキートップ１が位置決めされるものである。
【００４５】
このように本実施例に係るキースイッチ装置では、キートップ１の非押下時及び押下時の双方の場合においてキートップ１が不必要に水平方向に移動されることが防止されるので、キー操作性が良好で確実なスイッチング動作を可能とするキースイッチ装置を実現することができる。
【００４６】
これにより、部品点数を少なくして、構造が簡単で、厚さを薄くすることが可能であり、且つ、コストを低く抑えることが可能であり、しかもキー操作性の良好なキースイッチ装置を提供し得るものである。
【００４７】
また、フレキシブル回路基板３０に形成された挿通孔３０Ａからは各係止片３５、３６の一部が挿通されるので、フレキシブル回路基板３０は、挿通孔３０Ａと各係止片３５、３６との挿通関係に基づいて、支持プレート２５上の適切な位置で位置決めされるものである。
【００４８】
尚、本発明は前記実施例に限定されるものではなく、本発明の要旨を逸脱しない範囲で種々の変形、改良が可能である。例えば、本実施例におけるリンク部材７、８はパンタグラフ状に組み合わせた同種の部材によっても同様の効果を得られることは勿論である。
【００４９】
また、フレキシブル回路基板３０の摩擦係数が支持プレート２５のそれより高い場合にあっては、フレキシブル回路基板３０の挿通孔３０Ａを介してリンク部材７、８の係止ピン１５、１６、２１、２２を支持プレートと摺動させるようにしてもよい。
【００５０】
【発明の効果】
以上説明したように、請求項１に係るキースイッチ装置によれば、フレキシブル回路基板を上面に配置する金属薄板に、キートップに形成された第１係止部及び第２係止部に対応する第３係止部及び第４係止部をそれぞれ一体形成するとともに、その第３係止部及び第４係止部をフレキシブル回路基板の挿通孔を介して上方に突出させ、第１及び第２リンク部材の両端部に形成された係止部材のうち、上方側に位置する上方側係止部材をキートップの第１係止部及び第２係止部に係止し、かつ、下方側に位置する下方側係止部材を金属薄板の第３係止部及び第４係止部に係止しているので、従来必要とされていたホルダプレートを不要として、構造の簡素化、薄型化及びコストの低廉化を図ることができるものである。
また、金属薄板に一体形成された第３係止部及び第４係止部は、その下方側係止部材を摺動可能に係止する摺動係止部として形成され、その摺動係止部の摺動方向における一端側にはキートップの非押下状態で下方側係止部材が当接される第１規制部が形成されるとともに、摺動係止部の摺動方向における他端側にはキートップの押下時に下方側係止部材が当接される第２規制部が形成されているので、キートップの非押下時及びキートップの押下時の双方の場合において、キートップが不必要に水平方向に移動されることが防止され、これにより、キー操作性が良好なキースイッチ装置を実現することができる。
更に、請求項２に係るキースイッチ装置によれば、第３係止部及び第４係止部には、その摺動方向における他端側にて、第１リンク部材及び第２リンク部材の下方側係止部材を挿入する挿入部が形成されるともとに、第２規制部が挿入部の上側に形成されているので、第１リンク部材及び第２リンク部材の下方側係止部材を第３係止部及び第４係止部に摺動可能に係止するについて、第２規制部により何等支障が発生することなく、下方側係止部材を挿入部から容易に挿入することが可能となる。
【図面の簡単な説明】
【図１】  キートップを若干押下し始めた状態を示すキースイッチ装置の側断面図である。
【図２】  キースイッチ装置の分解説明図である。
【図３】  一方のリンク部材の平面図である。
【図４】  他方のリンク部材の平面図である。
【図５】  支持プレートに形成された係止部を示す平面図である。
【符号の説明】
１                          キートップ
２、３、２６、２７          係止部
４、５、２８、２９          係止溝
６                          案内支持部材
７、８                      リンク部材
１３、１４、１５、１６
２１、２２、２３、２４      係止ピン
２５                        支持プレート
３０                        フレキシブル回路基板
３０Ａ                      挿通孔
３１                        ラバースプリング
３５、３６                  係止片
Ａ                          軸支部
【図１】
0003649189.tif 000002
【図２】
0003649189.tif 000003
【図３】
0003649189.tif 000004
【図４】
0003649189.tif 000005
【図５】
0003649189.tif 000006